(57)【要約】【課題】  持ち出し網戸の縦框と枠体の縦枠との間の隙間を塞ぐ部材を備え、この部材にクセがつくことを防ぎ、また網戸のスムーズな摺動が可能なサッシを提供する。【解決手段】  四周枠組みした枠体と、タイト材と、枠体に納めた持ち出し網戸とを備え、タイト材は、枠体の縦枠に取り付けてあって、室外側に延びる突出片を有しており、突出片の内周側面が網戸の縦框の外周側面に当接する。【選択図】      図１
2014051810.tif 000002
【特許請求の範囲】
【請求項１】
四周枠組みした枠体と、タイト材と、枠体に納めた持ち出し網戸とを備え、タイト材は、枠体の縦枠に取り付けてあって、室外側に延びる突出片を有しており、突出片の内周側面が網戸の縦框の外周側面に当接することを特徴とするサッシ。
【請求項２】
四周枠組みした枠体と、タイト材と、複数の見込幅の障子と、複数の持ち出し幅の網戸とを備え、枠体に障子を自在に載せ替え可能であって、障子の見込幅が大きいほど持ち出し幅の大きな網戸を取り付けて両者の干渉を回避するものであり、タイト材は、枠体の縦枠に取り付けてあって、室外側に延びる突出片を有しており、突出片の内周側面が網戸の縦框の外周側面に当接することを特徴とするサッシ。
【発明の詳細な説明】
【技術分野】
【０００１】
本発明は、持ち出し網戸を備えるサッシに関する。
【背景技術】
【０００２】
枠体と、枠体に納めた障子及び網戸からなるサッシにおいて、障子が厚手のガラスや複層ガラスを備えていて見込幅が大きい場合、通常の網戸では障子と干渉してしまうので、持ち出し網戸を取り付ける。持ち出し網戸は、框を枠体よりも室外側に持ち出した構造となっており、障子との干渉を回避できる。一方、通常の網戸では、縦框が枠体の縦枠に当接するが、持ち出し網戸では、縦框と枠体の縦枠の間に隙間が生じるので、これを塞ぐための構造が必要となる。従来、非特許文献１に示すように、網戸の縦框にモヘアを取り付けて枠体の縦枠に当接させたものや、非特許文献２に示すように、網戸の縦框に樹脂製のタイト材を取り付けて枠体の縦枠に当接させたものがある。
【先行技術文献】
【非特許文献】
【０００３】
【非特許文献１】「ＭＴＧ−７０図面集（ＳＴＢ０３６６Ａ）」、三協立山株式会社、平成２４年５月、ｐ４２７
【非特許文献２】「ビル用総合カタログ（５１０）」、不二サッシ株式会社、平成２１年１０月、ｐ３５９
【発明の概要】
【発明が解決しようとする課題】
【０００４】
しかしながら、非特許文献１のように、モヘアを取り付けた場合、網戸の持ち出し幅が大きくなるほどモヘアも長くなり、モヘアにクセが付きやすいことが問題であった。また、非特許文献２のように、樹脂製のタイト材を取り付けた場合、タイト材が障子の縦框に引っ掛かり、網戸のスムーズな摺動が妨げられたり、障子を動かすと網戸も一緒に動いてしまったりすることが問題であった。
【０００５】
本発明は、上記事情を鑑みたものであり、持ち出し網戸の縦框と枠体の縦枠との間の隙間を塞ぐ部材を備え、この部材にクセがつくことを防ぎ、また網戸のスムーズな摺動が可能なサッシを提供することを目的とする。
【課題を解決するための手段】
【０００６】
本発明のうち請求項１の発明は、四周枠組みした枠体と、タイト材と、枠体に納めた持ち出し網戸とを備え、タイト材は、枠体の縦枠に取り付けてあって、室外側に延びる突出片を有しており、突出片の内周側面が網戸の縦框の外周側面に当接することを特徴とする。
【０００７】
本発明のうち請求項２の発明は、四周枠組みした枠体と、タイト材と、複数の見込幅の障子と、複数の持ち出し幅の網戸とを備え、枠体に障子を自在に載せ替え可能であって、障子の見込幅が大きいほど持ち出し幅の大きな網戸を取り付けて両者の干渉を回避するものであり、タイト材は、枠体の縦枠に取り付けてあって、室外側に延びる突出片を有しており、突出片の内周側面が網戸の縦框の外周側面に当接することを特徴とする。
【発明の効果】
【０００８】
本発明のうち請求項１の発明によれば、枠体の縦枠と網戸の縦框の間の隙間を塞ぐためにタイト材を用いているため、モヘアのようにクセが付かない。また、タイト材が網戸の縦框の外周側面に当接するものであるから、網戸の摺動が妨げられることはなく、さらに、枠体にタイト材を取り付けてあるので、障子を動かした際に網戸が一緒に動くこともない。また、網戸の縦框にタイト材などを取り付ける必要がないので、面付け網戸（縦框が枠体の縦枠に当接するもの）と縦框を共通化することができ、その分コストを削減できる。
【０００９】
本発明のうち請求項２の発明によれば、枠体の縦枠と網戸の縦框の間の隙間を塞ぐためにタイト材を用いているため、モヘアのようにクセが付かない。また、タイト材が網戸の縦框の外周側面に当接するものであるから、網戸の摺動が妨げられることはなく、さらに、枠体にタイト材を取り付けてあるので、障子を動かした際に網戸が一緒に動くこともない。また、網戸の縦框にタイト材などを取り付ける必要がないので、面付け網戸（縦框が枠体の縦枠に当接するもの）と縦框を共通化することができ、その分コストを削減できる。さらに、網戸の持ち出し幅によらず、共通のタイト材を用いることができるので、その点でもコストを削減できる。
【図面の簡単な説明】
【００１０】
【図１】第一実施形態のサッシの縦枠部分の横断面図である。
【図２】タイト材部分の拡大図である。
【図３】サッシの横断面図であり、（ａ）は網戸を左側に寄せた場合、（ｂ）は網戸を右側に寄せた場合を示す。
【図４】サッシの縦断面図である。
【図５】見込幅の大きい障子を載せた場合のサッシの横断面図である。
【図６】網戸の持ち出し幅が異なる場合の説明図である。
【図７】面付け網戸を備えるサッシの縦枠部分の横断面図である。
【図８】第二実施形態のタイト材部分の拡大図である。
【発明を実施するための形態】
【００１１】
以下、本発明の実施の形態を図面に基づいて説明する。なお、以下において左右とは、図３における左右を示すものとする。図３及び図４に示すように、本発明のサッシの第一実施形態は、枠体１に二枚の障子４（外障子４ａと内障子４ｂ）を引違いに納めた引違い窓である。枠体１は、左右の縦枠１１と、上枠１２と、下枠１３とを四周枠組みして躯体開口部に取り付けたものであり、上枠１２と下枠１３の室外側端に、網戸レール１２ａ，１３ａを備えている。また、障子４は、左右の障子縦框４１と、障子上框４２と、障子下框４３とを四周框組みしてガラス４４を嵌め込んだものである。ただし、ガラス４４が厚手のものであるため、障子縦框４１、障子上框４２及び障子下框４３が、外障子４ａにおいては室外側に、内障子４ｂにおいては室内側に突出する形状となっており、ガラス４４を嵌め込めるだけの見込幅を確保している。なお、以下において単に障子４と記した場合には、外障子４ａのことを示すものとする。そして、障子４の室外側には網戸３を取り付けてある。ただし、図４に示すように、障子４の各框が網戸レール１２ａ，１３ａよりも室外側に突出しているため、通常の網戸では障子４と干渉してしまう。そこで、このサッシの網戸３はいわゆる持ち出し網戸となっている。すなわち、網戸３は左右の縦框３１と、上框３２と、下框３３とを四周框組みして網３４を張ったものであり、上框３２と下框３３は室内側に、それぞれ上下の網戸レール１２ａ，１３ａと係合する係合部３２ａ，３３ａを有している。各係合部３２ａ，３３ａを網戸レール１２ａ，１３ａに係合させることにより、網戸３の縦框３１、上框３２、下框３３及び網３４が、枠体１よりも室外側に持ち出される構造となり、網戸３と障子４の干渉が回避される。
【００１２】
そして、網戸３が枠体１の室外側に位置しており、網戸の縦框３１と枠体１の縦枠１１の間に隙間が生じるので、これを塞ぐため、枠体１の縦枠１１に、タイト材２を取り付けてある。以下、詳細を図１及び図２に基づき説明する。ただし、図１及び図２はサッシの左側の縦枠１１を示すものであるが、右側の縦枠１１についても同様である。図１及び図２に示すように、縦枠１１の室外側端には、枠体１の内周側に延びる見付片１４を形成してあり、見付片１４の室内側面には、上下に延びる係合溝１５を形成してある。そしてタイト材２は、略Ｕ字形の取付部２２と、取付部２２から室外側に延びる突出片２１からなる。取付部２２は、見付方向に延びる室外側壁２２ａと、室外側壁の内周側端から室内側に延びる見込壁２２ｂと、見込壁２２ｂの室内側端から外周側に延びる室内側壁２２ｃからなり、室内側壁２２ｃは内周側から外周側に向けて室外側に傾斜していて、室内側壁２２ｃの外周側端の室外側面には、室外側に突出する爪部２３を形成してある。また、突出片２１は、取付部２２の室外側壁２２ａから室外側に延びる基部２１ａと、基部２１ａの室外側端からさらに室外側に延びる先端部２１ｂからなり、先端部２１ｂは室内側から室外側に向けて内周側に傾斜していて、先端部２１ｂの室外側端の外周側面には、円形に膨らんだ膨大部２４を形成してある。そして、取付部２２及び突出片２１の基部２１ａは、硬質の樹脂からなり、突出片２１の先端部２１ｂは軟質の樹脂からなるものであって、これらは二色成型により一体に成型されている。このように構成したタイト材２は、取付部２２を縦枠１１の見付片１４に内周側から嵌合させて取り付けるものであって、この際、取付部２２の室内側壁２２ｃが傾斜していることにより、見付片１４を挟み込む向きに弾性力が働き、さらに見付片１４の係合溝１５に取付部２２の爪部２３が係合することで、確実に固定される。このようにして左右の縦枠１１にタイト材２を取り付けると、網戸３を左側に寄せた際には、網戸３の左側の縦框３１の外周側面が、左側のタイト材２の突出片２１の内周側面に当接する（図３（ａ）の状態）。一方、網戸３を右側に寄せた際には、網戸３の右側の縦框３１の外周側面が、右側のタイト材２の突出片２１の内周側面に当接する（図３（ｂ）の状態）。なお、網戸３の持ち出し幅によって、網戸３の縦框３１と枠体１の縦枠１１の間の隙間の幅が異なるが、タイト材２の突出片２１は、隙間の幅が最も大きい場合（網戸３の持ち出し幅が最も大きい場合）でも、網戸３の縦框３１に当接するだけの長さを有する。
【００１３】
さらに、網戸３には、二種類のモヘアを取り付けてある。縦框３１の上下の略全長に渡って延びる毛足の短い全長モヘア５ａと、下框３３に取り付けた毛足の長い下部モヘア５ｂである。図３及び図４に示すように、全長モヘア５ａと下部モヘア５ｂは、何れも網戸３の縦框３１と、障子４の障子縦框４１との間の隙間を塞ぐものであり、全長モヘア５ａは、障子縦框４１の室外側に持ち出した見付面に当接し、下部モヘア５ｂは、障子縦框４１の下部の見込幅が小さい部分に当接する。なお、網戸３を左側に寄せた際には、右側の縦框３１の全長モヘア５ａ及び下部モヘア５ｂが、障子４（右側に寄せた状態）の左側の障子縦框４１に当接する（図３（ａ）の状態）。一方、網戸３を右側に寄せた際には、左側の縦框３１の全長モヘア５ａ及び下部モヘア５ｂが、障子４（左側に寄せた状態）の右側の障子縦框４１に当接する（図３（ｂ）の状態）。また、網戸３の縦框３１の上端部（全長モヘア５ａの上側）には、室内側に突出するゴム片６ａを設けてあり、ゴム片６ａが障子縦框４１の上部の見込幅が小さい部分に当接して隙間を塞ぐ。さらに、網戸３の下框３３の下端部（下部モヘア５ｂの下側）にも、室内側に突出するゴム片６ｂを設けてあり、障子縦框４１の下部の見込幅が小さい部分（下部モヘア５ｂが当接する部分の下側）に当接して隙間を塞ぐ。
【００１４】
このように構成した本発明のサッシにおいては、枠体１の縦枠１１と網戸３の縦框３１の間の隙間を塞ぐために樹脂製のタイト材２を用いているため、従来用いられていたモヘアのようにクセが付かない。また、タイト材２が網戸３の縦框３１の外周側面に当接するものであるから、網戸３の摺動が妨げられることはなく、さらに、枠体１にタイト材２を取り付けてあるので、障子４を動かした際に網戸３が一緒に動くこともない。また、タイト材２は、取付部２２に形成した爪部２３を縦枠１１の係合溝１５に係合させるものであるから、取り付け及び交換が容易で施工性が良く、取付時には確実に固定できる。そして、取付部２２を硬質の樹脂で形成したことにより、縦枠１１への取り付けをより強固なものとすることができ、一方で突出片２１の先端部２１ｂを軟質の樹脂で形成したことにより、柔軟に弾性変形して網戸３との隙間を確実に塞ぐことができる。さらに、先端部２１ｂが内周側（網戸３側）に傾斜していることにより、確実に網戸３と当接するものである。また、先端部２１ｂの室外側端に、円形に膨らんだ膨大部２４を形成してあることにより、タイト材２のよれを防いでおり、さらにこの膨大部２４は先端部２１ｂの外周側面に形成してあることから、室内側からは見えず、意匠性が良好である。そして、このサッシは、複数の見込幅の障子４と、複数の持ち出し幅の網戸３とを備え、枠体１に障子４を自在に載せ替え可能であって、障子４の見込幅が大きいほど持ち出し幅の大きな網戸３を取り付けて両者の干渉を回避するものである。ここでは二種類の見込幅の障子４を備えることを想定する。図３に示すのは見込幅の小さい障子４を載せた場合であり、これに合わせて持ち出し幅の小さい網戸３を取り付けてある。一方、図５に示すのは見込幅の大きい障子４を載せた場合であり、これに合わせて持ち出し幅の大きい網戸３を取り付けてある。そして、図６に示すように、網戸３の持ち出し幅が小さい場合（縦框３１ａ、実線で表示）と、網戸３の持ち出し幅が大きい場合（縦框３１ｂ、二点鎖線で表示）の何れの場合も、同じタイト材２によって、網戸３と枠体１の間の隙間を塞ぐことができるので、その分コストを削減できる。なお、網戸３の持ち出し幅が異なる場合でも、網戸３の縦框３１の室内側面と、障子４の障子縦框４１の室外側に持ち出した見付面との間の間隔は変わらないから、網戸３の縦框３１に取り付けた全長モヘア５ａについて、常に同じものを用いることができる。また、網戸３の縦框３１にタイト材２などを取り付ける必要がないので、図７に示すような面付け網戸（網戸１０３の縦框１３１が枠体１０１の縦枠１１１の見付片１１４に当接するもの）と縦框を共通化することができ、その分コストを削減できる。
【００１５】
次に、本発明のサッシの第二実施形態について説明する。第二実施形態が第一実施形態と異なる点は、タイト材２０２を縦枠２１１に取り付ける部分の構造である。その他の構成については第一実施形態と同じであるから、以下においては、当該部分についてのみ説明する。図８に示すように、第二実施形態の縦枠２１１の見付片２１４の室外側面には、上下に延びる取付溝２１６を形成してある。取付溝２１６は、開口側（室外側）よりも底部側（室内側）の方が幅広な形状となっている。そしてタイト材２０２は、見付方向に延びる取付部２２２と、取付部２２２から室外側に延びる突出片２２１からなる。突出片２２１の構成は第一実施形態と同じであって、突出片２２１と取付部２２２とで略Ｔ字形の形状となっており、取付部２２２を取付溝２１６に挿入して、タイト材２０２を縦枠２１１に固定する。このように構成した第二実施形態においては、タイト材２０２と網戸の縦框との位置関係は第一実施形態と同じであり、第一実施形態と同様の作用効果を奏する。
【００１６】
本発明は、上記の実施形態に限定されない。この発明は一般的な種々のサッシに適用可能なものであり、枠体の形状は、上記のものに限られず、枠体の形状に合わせて、タイト材の取り付け方も適宜変更できる。また、タイト材は、必ずしも二色成型されたものでなくてもよい。さらに、タイト材の形状は、突出片の中間部から内周側に傾斜するもの以外に、突出片の根元から内周側に傾斜するものであってもよい。また、膨大部の形状についても、タイト材のよれを防ぐことができるものであれば、円形以外のどのような形状であってもよい。
【符号の説明】
【００１７】
１  枠体
２  タイト材
３  網戸
４  障子
１１  縦枠
２１  突出片
３１  縦框
【図１】
2014051810.tif 000003
【図２】
2014051810.tif 000004
【図３】
2014051810.tif 000005
【図４】
2014051810.tif 000006
【図５】
2014051810.tif 000007
【図６】
2014051810.tif 000008
【図７】
2014051810.tif 000009
【図８】
2014051810.tif 000010